(57)【要約】【課題】無駄に補給される湯やエネルギー消費を回避し得る補給水装置を提供する。【解決手段】補給運転制御部をろ過運転制御部と通信可能に接続し、ろ過運転制御部からろ過運転状況に係る情報を取得する（Ｓ１）。ろ過運転が予約運転設定されていれば、ろ過運転状況と連動させた補給運転制御を行う（Ｓ２でＹＥＳ）。すなわち、ろ過運転がＯＮであれば補給運転の実行を許可し（Ｓ３でＹＥＳ，Ｓ４）、ろ過運転がＯＦＦであれば補給運転の実行を禁止する（Ｓ３でＮＯ，Ｓ５）。【選択図】図５
2018161277.tif 000002
【特許請求の範囲】
【請求項１】
内部の浴湯をろ過槽との間で循環させてろ過するためのろ過装置が接続された浴槽に対し、高温水と低温水とを混合した上で出湯路に出湯させた混合温水を浴湯として補給するために接続される補給水装置であって、
補給運転を制御するための補給運転制御部を備え、
前記補給運転制御部は、前記ろ過装置によるろ過運転状況を検出するろ過運転状況検出部を備え、このろ過運転状況検出部により検出されたろ過運転状況に基づき前記補給運転を制御するように構成されている、
ことを特徴とする補給水装置。
【請求項２】
請求項１に記載の補給水装置であって、
前記補給運転制御部は、前記ろ過装置のろ過運転を制御するために当該ろ過装置に設けられたろ過運転制御部と通信可能に接続される通信部を備え、この通信部により前記ろ過運転状況検出部が構成されている、補給水装置。
【請求項３】
請求項２に記載の補給水装置であって、
前記ろ過運転状況検出部は、前記ろ過運転制御部に予約運転が設定されているか否かを検出するように構成され、
前記補給運転制御部は、前記予約運転が設定されているときにのみ、前記ろ過運転状況に基づき補給運転を制御するように構成されている、補給水装置。
【請求項４】
請求項１に記載の補給水装置であって、
ろ過装置の使用電力を検出するための電力計測部を備え、
前記ろ過運転状況検出部は、前記電力計測部により構成され、ろ過運転の開始に伴う使用電力の増大を検出することにより前記ろ過運転状況を検出するように構成されている、補給水装置。
【発明の詳細な説明】
【技術分野】
【０００１】
本発明は、連結給湯システム等の別体の熱源機から供給される高温水に低温水を混合することで温度調整した湯を浴槽等に補給させるための補給水装置に関する。
【背景技術】
【０００２】
下記の特許文献１には、浴槽に対する給湯加熱手段からの湯張り動作と、循環ポンプの作動により浴槽内の浴湯をろ過手段に通過させるろ過動作とが共に可能な浄化機能付き給湯風呂装置が提案されている。このものでは、給湯加熱手段からの湯の供給と、ろ過手段によるろ過動作とは互いに別個に動作するようになっている（同文献の段落００３５，００３６、００４４，００４８、図１，図２参照）。
【先行技術文献】
【特許文献】
【０００３】
【特許文献１】特開２００１−３４０７１０号公報
【発明の概要】
【発明が解決しようとする課題】
【０００４】
ところで、銭湯等の浴場施設の大きな浴槽に対し、浴湯をろ過するためのろ過装置と、所定温度の湯を補給するための補給水装置とを共に接続してすることが考えられる。この場合、ろ過装置及び補給水装置は、いずれもリモコンを用いた運転予約により運転させることが可能となっている。通常、ろ過装置では、ある時間帯をタイマー予約設定することでその時間帯は継続してろ過運転が可能となる一方、補給水装置では、定期的に所定温度の湯を浴槽に補給させるという補給運転が可能となる。
【０００５】
しかしながら、このような補給水装置による補給運転と、ろ過装置によるろ過運転とを互いに別個に動作させると、湯やエネルギーの無駄な消費を招くおそれがある。すなわち、例えば図６に示すように、ろ過装置によるろ過運転を予約運転（タイマ運転）により営業時間内（時間帯Ｂ）は継続して行わせ、営業時間外（時間帯Ｔ）は停止させる一方、補給水装置による定期的な補給運転を続けさせると、営業時間外（例えば深夜・早朝）のろ過運転が停止される時間帯Ｔにおいても、補給水装置による定期的な補給運転が行われてしまうことになる。この結果、その間に補給された湯や、補給運転に要するエネルギーが無駄となる。
【０００６】
そこで、本発明は、無駄に補給される湯やエネルギー消費を回避し得る補給水装置を提供することを目的とする。
【課題を解決するための手段】
【０００７】
上記目的を達成するために、本発明は、次の技術的手段を講じた。
【０００８】
すなわち、本発明は、内部の浴湯をろ過槽との間で循環させてろ過するためのろ過装置が接続された浴槽に対し、高温水と低温水とを混合した上で出湯路に出湯させた混合温水を浴湯として補給するために接続される補給水装置を対象とし、補給運転を制御するための補給運転制御部を備え、前記補給運転制御部として、前記ろ過装置によるろ過運転状況を検出するろ過運転状況検出部を備え、このろ過運転状況検出部により検出されたろ過運転状況に基づき前記補給運転を制御する構成とすることを特徴とするものである（請求項１）。
【０００９】
かかる本発明の補給水装置の場合、ろ過運転状況検出部により検出されたろ過運転状況が停止状態であれば、補給運転の実行が例えば定期補給運転として予め設定されていたとしても、これを強制的に停止させることが可能となる。このため、ろ過運転が行われていないにも拘わらず、補給運転の実行により湯が浴槽に補給されてしまうことに伴い無駄の発生、つまり無駄に補給される湯やエネルギー消費を回避することが可能となる。
【００１０】
上記本発明の補給水装置において、補給運転制御部がろ過装置のろ過運転を制御するために当該ろ過装置に設けられたろ過運転制御部と通信可能に接続される通信部を備えるようにし、この通信部によりろ過運転状況検出部が構成されるようにしてよい。そして、ろ過運転状況検出部として、ろ過運転制御部に予約運転が設定されているか否かを検出するように構成し、補給運転制御部が、前記予約運転が設定されているときにのみ、ろ過運転状況に基づき補給運転を制御する構成とすることができる。これにより、予約運転により浴場施設等での営業時間外はろ過運転が停止されるよう設定されている場合に、補給運転を停止して無駄の発生を防止することができるようになる。
【００１１】
又、本発明の補給水装置において、ろ過装置の使用電力を検出するための電力計測部を備え、ろ過運転状況検出部を電力計測部により構成し、ろ過運転の開始に伴う使用電力の増大を検出することによりろ過運転状況を検出するように構成することができる。ろ過運転を開始すれば、例えば循環ポンプの作動開始等により使用電力が増大するため、かかる使用電力の増大を検出することでろ過運転がＯＮかＯＦＦかというろ過運転状況を検出することができる。
【発明の効果】
【００１２】
本発明の補給水装置によれば、ろ過運転状況検出部により検出されたろ過運転状況が停止状態であれば、補給運転の実行が例えば定期補給運転として予め設定されていたとしても、これを強制的に停止させることができるようになる。このため、ろ過運転が行われていないにも拘わらず、補給運転の実行により湯が浴槽に補給されてしまうことに伴う無駄の発生、つまり無駄に補給される湯やエネルギー消費を回避することができる。
【図面の簡単な説明】
【００１３】
【図１】本発明の一実施形態に係る補給水装置を適用した浴場システムの例を示す模式図である。
【図２】補給水装置の例を示す模式図である。
【図３】連動補給運転制御による補給運転と、ろ過運転との例を示すタイムチャートである。
【図４】ろ過装置の例を示す模式図である。
【図５】連動補給運転制御の例を示すフローチャートである。
【図６】本発明と対比される補給運転と、ろ過運転との例を示す図３対応図である。
【発明を実施するための形態】
【００１４】
以下、本発明の好適な実施形態を図面に基づいて説明する。
【００１５】
図１は、本発明の一実施形態に係る補給水装置１を適用した浴場システムの例を示している。この浴場システムは、補給水装置１から出湯された所定の設定温度の混合温水を浴湯として浴槽２に出湯（補給）可能に構成される一方、浴槽２内の浴湯をろ過装置３に循環させてろ過装置３によりろ過可能に構成されている。かかる浴場システムにおける浴槽２としては温泉施設や銭湯等の比較的大きな浴槽を対象としたものであり、補給水装置１とろ過装置３とが浴槽２に対し共に接続されて、浴場システムが構成されている。
【００１６】
補給水装置１は、別体に設置された大型ボイラや熱源機（例えば、複数台の給湯器を連結してなる連結給湯装置）等４から供給される高温水と、上水道などの水源から供給される低温水（常温の非加熱水等）とを、補給水装置１において所定比率で混合することで設定温度に温調し、混合後の混合温水を浴槽２に出湯するよう構成されている。以下、図２を参照しつつ、詳細に説明する。
【００１７】
補給水装置１は、高温水と低温水とを混合してなる混合温水を出湯するための出湯路５と、熱源機等４から例えば８０℃の高温水が供給される入湯路６と、水源から例えば２０℃の低温水が供給される入水路７と、入湯路６と出湯路５との間に並列に設けられた複数本（図例では３本）の高温水供給路８，８，８と、入水路７と出湯路５との間に並列に設けられた複数本（図例では３本）の低温水供給路９，９，９とを備えている。
【００１８】
出湯路５には、その管軸方向に離間して３つの混合部５１，５１，５１が設けられており、各混合部５１に対して一の高温水供給路８と一の低温水供給路９との各下流端が合流するように接続されている。各混合部５１に接続された高温水供給路８と低温水供給路９とは、出湯路５の直径方向に対向して合流するように設けられており、各供給管路６，７から供給される高温水と低温水とが混合部５１内で衝突して撹拌混合されるようになっている。このように混合部５１を挟んで一の高温水供給路８と一の低温水供給路９とが対をなして１つの混合系統を構成し、本実施形態では高温水供給路８及び低温水供給路９の組み合わせを３対（３つの混合系統）設けた例を示している。なお、図２の符号５ａは出湯接続配管であり、この出湯接続配管５ａはその上流端が接続口を介して出湯路５の下流端に接続され、下流端が浴槽２まで延びるよう配管されたものである。
【００１９】
各高温水供給路８は、入湯路６内の高温水が熱源機等４からの給湯圧により出湯路５へ供給されるよう入湯路６と出湯路５とを接続するものである。なお、熱源機等４は、水源の給水圧を利用して高温水の供給を行うものであってよい。
【００２０】
又、各低温水供給路９は、入水路７内の低温水が水源の給水圧により出湯路５へ供給されるよう入水路７と出湯路５とを接続するものである。なお、入湯路６や入水路７の上流端の接続口側に、給湯圧や給水圧を調整するための減圧弁６１，７１や、逆流を阻止するための逆止弁６２，７２を設けることができる。
【００２１】
なお、出湯路５の管径（口径）は、入湯路６及び入水路７のそれぞれの管径よりも大きく、例えば流路断面積で２倍程度となされている。入湯路６の管径と入水路７の管径は等しくなされている。また、各高温水供給路８及び各低温水供給路９の管径は、入湯路６及び入水路７の管径よりも小さく、これら供給路８，９は比較的小径の配管によって構成されている。例えば、供給路８，９の管径は、一般的な家庭用の瞬間給湯器に用いられている配管と同じ管径とすることができる。
【００２２】
各高温水供給路８には流量制御弁８１及び電磁開閉弁８２が直列に設けられている。実施形態においては、電磁開閉弁８２は上流側（入湯路６側）に配設され、流量制御弁８１は下流側（出湯路５側）に配設されている。一方、各低温水供給路９には、低温水供給路９を開閉切換するための制御弁を構成する流量制御弁９１及び流量センサ９２が設けられている。流量センサ９２は流量制御弁９１の上流側位置に配設されている。これら流量制御弁８１，９１及び電磁開閉弁８２は、補給運転制御部１０によってリモコン１０１等からの設定信号や指令信号等に基づいて動作制御されるよう配線接続されている。
【００２３】
流量制御弁８１，９１は、いずれも補給運転制御部１０により駆動制御されるステッピングモータにより弁軸（図示せず）を駆動することによって開度を全閉から全開まで調整可能に構成されている。つまり、流量制御弁８１，９１は、開度調整による流量制御機能に加え、完全に供給路８，９を閉止して流れを遮断し得る全閉機能を備えたものに構成されている。なお、高温水供給路８の側には電磁開閉弁８２が設けられているため、全閉機能を有さない流量制御弁を設けることができる。高温水供給路８に流れる高温水の温度が比較的高い(例えば８０℃)ため、電磁開閉弁８２に加え全閉機能付きの流量制御弁８１を設けることで、電磁開閉弁８２が万一故障した際にも全閉切換可能として高温水の下流への流出を回避することができるようになる。
【００２４】
又、低温水供給路９の側に流量センサ９２が設けられている理由は、高温水供給路９により混合部５１に供給される高温水の温度が前記の如く比較的高いため、安全のため、高温水と低温水との湯水混合の際は、まずは低温水供給路９から低温水を流し、低温水が流れていることを流量センサ９２からの流量検出により確認した上で、高温水供給路８から高温水を流すようにしており、このような状況下で、流量センサ９２により低温水が流れていることを検出・確認するためである。このため、流量センサ９２に代えて、水流スイッチ等を用いることができる。さらに、低温水供給路９に対し、全閉機能付きの流量制御弁９１に代えて、全閉機能を有さない流量制御弁と電磁開閉弁との組み合わせを設けることもできる。
【００２５】
出湯路５には、３つの混合部５１，５１，５１よりも下流側位置に出湯温度センサ５２が設けられており、出湯路５を流れる混合温水の温度を検出して、その検出値を補給運転制御部１０に出力するようになっている。又、入湯路６には高温水供給路８，８，８の分岐位置よりも上流側位置に入湯温度センサ６３が設けられており、入湯路６を流れる高温水の温度を検出して、その検出値を補給運転制御部１０に出力するようになっている。さらに、入水路７には、低温水供給路９，９，９の分岐位置よりも上流側位置に入水温度センサ７３が設けられており、入水路７を流れる低温水の温度を検出して、その検出値を補給運転制御部１０に出力するようになっている。
【００２６】
なお、図２中の符号５３は混合後の混合温水の混合度合をさらに高めて均一に混合するための屈曲部である。このような屈曲部５３又は混合のための他の手段を積極的に設ける場合、前記の如く高温水供給路８及び低温水供給路９の両下流端を混合部５１挟んで対向配置にして合流するようにはせずに、単に出湯路５に合流させるようにしてもよい。
【００２７】
補給運転制御部１０はマイコンにより主構成され、予め記憶された所定のプログラムに基づいて各種制御を実行するようになっている。又、補給運転制御部１０は、所定の通信プロトコルにより通信を行うための図示省略の通信回路（通信部）が接続されている。この通信回路を介して、補給運転制御部１０は、リモコン１０１に加え、ろ過装置３のろ過運転制御部３３（図１参照）と通信可能に接続されている。これにより、補給運転制御部１０は、ろ過運転制御部３３からろ過運転状況に係る所定の情報を通信により取得可能となっている。ろ過運転制御部３３と前記の通信部である通信回路とによってろ過運転状況検出部が構成される。
【００２８】
なお、ろ過運転制御部３３の代わりにリモコン３４（図１参照）と補給運転制御部１０とを通信可能に接続し、このリモコン３４から同様のろ過運転状況に係る情報を補給運転制御部１０に取得するようにすることができる。この場合、リモコン３４と前記の通信回路とによってろ過運転状況検出部が構成される。かかる通信回路として、例えば２芯により電源を供給するとともに電源電圧に通信データを重畳させてシリアル通信を行う２芯通信回路により構成することができる。
【００２９】
又、浴槽２には水位センサ２１が取り付けられており、この水位センサ２１により検出した浴槽２内の浴湯の水位検出値を補給運転制御部１０に出力可能に構成されている。水位センサ２１としては圧力式若しくは水位電極式など、適宜の検出方式のものを採用することができる。
【００３０】
リモコン１０１は表示部と各種操作部とを備えており、このリモコン１０１へのユーザーの入力操作により、混合温水を出湯させて浴槽２に補給するための補給運転開始／終了操作、定期補給運転を行わせるための設定操作、浴槽２への出湯温度の設定操作、及び、浴槽２への湯はり運転開始などの各種操作を行えるようになっている。併せて、リモコン１０１に、例えば連動スイッチ及び単独スイッチが設けられている場合には、連動スイッチをオン操作することで、ろ過運転状況に基づく補給運転制御（後述の連動補給運転制御）、つまりろ過運転状況に連動した補給運転制御をユーザーの意思で選択することができる一方、単独スイッチをオン操作することで、前記連動補給運転制御をユーザーの意思でキャンセルしてろ過運転とは別個に補給水装置単独での単独補給運転制御を行うことができる。
【００３１】
定期補給運転を行わせる場合のリモコン１０１による設定について説明すると、リモコン１０１に対する設定操作は、補給（補給運転のＯＮ）と停止（補給運転のＯＦＦ）との両時間値の組み合わせについて例えば１０分単位で設定可能となっている。図３に示すように、ＯＮ時間値Ｄとして例えば「２０分」、ＯＦＦ時間値Ｕとして例えば「６０分」と設定すると、２０分ずつの補給運転が６０分の停止時間を間に挟んで定期的に繰り返されることになる。この定期補給運転は、リモコン１０１を用いたユーザーの補給運転終了操作（例えば開始スイッチのＯＦＦ操作）が行われるか、あるいは、後述の連動補給運転制御により補給運転禁止されるまで繰り返される。
【００３２】
補給運転制御部１０による補給運転に係る作動制御は、各混合系統（８，９）の制御弁（流量制御弁８１，電磁開閉弁８２，流量制御弁９１）を制御対象とする開閉切換制御と、流量調整に係る制御弁（流量制御弁８１，流量制御弁９１）の開度を調整して温調する温調制御とを基本制御として備えている。ここで、湯張り運転の際には、３つの混合系統（８，９、８，９、８，９）の全てが開通状態にされ、設定出湯温度に温調した混合温水を大流量（例えば３系統合計で最大１２０Ｌ／分の流量）で浴槽２に供給して所定水位まで湯張りする。湯張り完了後の補給運転では、３つの内のいずれか１つの混合系統（８，９）を選択して開通状態に切換制御し、温調制御により設定出湯温度に温調した混合湯水を供給することで例えば浴槽２内の表面層の浴湯を汚れと共に溢れさせるようにしたり、混合温水を定期的に供給することで浴槽の水位を一定に維持させるようにしたりする。なお、３つの混合系統（８，９、８，９、８，９）の内から開通状態に切換える対象は、例えばそれまでの閉止状態での経過時間の長い混合系統（８，９）を選択することとし、順次交代させることができる。
【００３３】
次に、ろ過装置３について説明すると、ろ過装置３は、営業時間中は常時又は所定の時間帯において、循環ポンプ３１の作動により、浴槽２内の浴湯を取り込んでろ過槽３２を通過させることでろ過し、ろ過後の浴湯を浴槽２に戻すという循環動作を行うように構成されている。ろ過前にヘアーキャッチャー（図示省略）に通過させることで、浴湯に含まれる毛髪等を予め捕集しておくようにすることができる。又、ろ過後の浴湯を、例えば液−液熱交換器により所定温度まで加温した上で浴槽２に戻すようにすることができる。さらに、循環途中の浴湯に対し殺菌用の薬剤を混入することもできる。
【００３４】
ろ過装置３によるろ過運転は、ろ過運転制御部３３により循環ポンプ３１を作動制御することにより実行される。ろ過運転制御部３３はリモコン３４と通信可能に接続されている。リモコン３４は表示部と各種操作部とを備え、リモコン３４へのユーザーの入力操作により、ろ過運転開始／終了操作や、ろ過運転の予約設定操作などの各種操作を行えるようになっている。
【００３５】
リモコン３４は、ろ過運転のＯＮ時間値とＯＦＦ時間値とをそれぞれ例えば１時間単位で設定可能に構成され、ＯＮ時間値とＯＦＦ時間値とを設定することで、ろ過運転が予約可能となっている。例えば図３に示すように、ＯＮ時間値Ｂとして現時点（例えば午前１０時）から例えば「１３時間」、ＯＦＦ時間値Ｔとして例えば「１１時間」を設定すると、午前１０時から午後１１までの営業時間内にはろ過運転を連続して継続させる一方、午後１１時から翌朝の午前１０時までの営業時間外にはろ過運転を停止させるという予約運転が繰り返される。そして、この予約運転のための設定情報に基づいて、ろ過運転制御部３３は、循環ポンプ３１をＯＮ時間値Ｂが経過するまで連続して作動させ、次に、ＯＦＦ時間値Ｔが経過するまで作動を停止させる。
【００３６】
以下、図５を参照しつつ、補給運転制御部１０により、ろ過装置３のろ過運転状況に基づき補給運転を制御する連動補給運転制御について説明する。まず、通信回路を介してろ過運転制御部３３からろ過運転状況に係る情報を取得する（ステップＳ１）。この情報の取得は、所定タイミング毎に補給運転制御部１０からろ過運転制御部３３に出力した要求信号に対する返信により取得するようにしてもよいし、あるいは、ろ過運転制御部３３から所定タイミング毎に出力されるようにしてもよい。又、ろ過運転状況とは、ろ過運転についての予約設定の有無と、循環ポンプ３１の作動状況（ＯＮかＯＦＦか）とに係る情報である。
【００３７】
次に、取得したろ過運転状況に基づいてろ過運転は予約運転中であるか否かを判定し、予約運転状態でなければ、つまり、ろ過運転がたとえ行われているとしても、それはユーザーのろ過運転開始操作又は終了操作に基づくものである場合には（ステップＳ２でＮＯ）、連動補給運転制御を行わずにリターンする。一方、ろ過運転が予約運転状態にあれば、以下の連動補給運転制御、つまり、ろ過装置３のろ過運転状況と連動させた補給運転制御を行う（ステップＳ２でＹＥＳ）。
【００３８】
すなわち、現在、ろ過運転がＯＮかＯＦＦかを判定し（ステップＳ３）、ＯＮであれば補給運転を許可し（ステップＳ３でＹＥＳ，Ｓ４）、ＯＦＦであれば補給運転を禁止する（ステップＳ３でＮＯ，Ｓ５）。ろ過運転がＯＮかＯＦＦかは、ろ過運転状況に含まれる循環ポンプ３１の作動状況がＯＮかＯＦＦかで判定する。
【００３９】
かかる連動補給運転制御の場合、図３に示すように、補給運転として定期補給運転が予め設定されていたとしても、ろ過運転が予約運転中のＯＮ時間値Ｂが経過するまでの間はその定期補給運転が続行されるものの、ＯＦＦ時間値Ｔに入ると補給運転が禁止されることになる。そして、再び、ろ過運転のＯＮ時間値Ｂに入ると、補給運転が許可されるため、定期補給運転が再開されることになる。このため、ろ過運転のＯＦＦ時間値Ｔの時間帯、例えば営業時間外において、定期補給運転に基づく湯の補給を停止させることができ、定期補給運転がそのまま継続されることに伴う湯やエネルギー消費等の無駄が発生することを回避することができる。
【００４０】
以上の連動補給運転制御において、補給運転制御部１０が取得するろ過運転状況として、ろ過運転についての予約設定の有無と、予約設定の内容（ＯＮ時間値ＢとＯＦＦ時間値Ｔ）に係る情報とすることができる。かかる情報に基づいて、ＯＮ時間値Ｂが経過するまでの間はろ過運転がＯＮであるとみなして補給運転を許可し、ＯＦＦ時間値Ｔが経過するまでの間はろ過運転がＯＦＦであるとみなして補給運転を禁止するようにすることができる。
【００４１】
あるいは、ろ過運転状況として、循環ポンプ３１がＯＮかＯＦＦかの作動状況に代えて、循環ポンプ３１の作動に伴う使用電力の増大を検出し、使用電力が所定の閾値以上か閾値未満かの情報によって循環ポンプ３１の作動状況とすることができる。循環ポンプ３１をＯＮ作動させるための駆動電力がろ過装置３における使用電力の増大となって生じるため、これをもって循環ポンプ３１の作動状況を検出するのである。例えば図４に示すように、ろ過装置３の電源回路に電流センサ（例えばカレントトランス）３５を設け、この電流センサ３５により検出される電流値と、図示省略の電圧センサにより検出される電圧値とにより使用電力値を得ることができる。これら電流センサ等により電力計測部を構成することができ、この電力計測部によってろ過運転状況検出部を構成することができる。
【００４２】
さらに、ろ過運転状況検出部を、ろ過装置３の例えば循環経路に介装させた水流検出部（例えば水流スイッチ又は流量センサ）３６によって構成することができる。すなわち、ろ過運転がＯＮ（循環ポンプ３１がＯＮ）されると、循環経路に浴湯が流れることになるため、この流れの発生を検出することでろ過運転がＯＮかＯＦＦかを検出することができる。
【符号の説明】
【００４３】
１          補給水装置
２          浴槽
３          ろ過装置
１０        補給運転制御部
３３        ろ過運転制御部（ろ過運転状況検出部）
３５        電流センサ（ろ過運転状況検出部）
３６        水流検出部（ろ過運転状況検出部）
【図１】
2018161277.tif 000003
【図２】
2018161277.tif 000004
【図３】
2018161277.tif 000005
【図４】
2018161277.tif 000006
【図５】
2018161277.tif 000007
【図６】
2018161277.tif 000008